(57)【特許請求の範囲】
【請求項１】
内ケース１Ａと、内ケース１Ａに外嵌する透明ないし半透明の外ケース１Ｂとで２重筒状に形成され、内外両ケース１Ａ・１Ｂの間に装飾シート１９が装填してあるケース体であって、
外ケース１Ｂの一端には、装飾シート１９および内ケース１Ａ用の差込口２１が開口しており、外ケース１Ｂの他端の内面には、装飾シート１９の差し込み限界を規定する突起４０が設けられており、
内ケース１Ａの差し込み終端側の外面に、装飾シート１９の抜け出しを防ぐ受部２７が設けられており、
内外両ケース１Ａ・１Ｂの間に、互いに係合して両ケース１Ａ・１Ｂの組み付け状態を維持する係合突起４２と係合凹部４１とが設けてあり、
装飾シート１９の差し込み限界を規定する外ケース１Ｂ側の突起４０が、係合突起４２を兼ねており、
係合凹部４１が内ケース１Ａの差し込み始端側の周面に設けてあるケース体。
【請求項２】
外ケース１Ｂの内面と、装飾シート１９の外面との少なくともいずれか一方に、両者の密着を妨げる微少凹凸面４４が形成されている請求項１記載のケース体。
【請求項３】
内ケース１Ａが、前後に２分割された前ケース２５ａと後ケース２５ｂとで構成されており、
前後両ケース２５ａ・２５ｂが、外ケース１Ｂで分離不能に固定保持されている請求項１または２記載のケース体。
【請求項４】
外ケース１Ｂが、前側円弧面３８と後側円弧面３９とを有する断面木の葉形の筒体として形成されており、
装飾シート１９は、前側円弧面３８と後側円弧面３９との一方の交差部内面において二つ折りにされて、シート端部が他方の交差部内面に臨んでいる請求項１ないし３いずれかに記載のケース体。
【発明の詳細な説明】
【０００１】
【発明の属する技術分野】
この発明は、フェイスシェーバー、まつ毛カーラー、電動歯ブラシ、電動爪磨き機、シェーバー、ヘアードライヤーなどの電気機器、およびペン、モップの柄、磁気ヘッドクリーナなどにおいて使用されるケース体に関する。
【０００２】
【従来の技術】
外観形状や仕様が同じ電気機器において、ユーザーの選択の幅を拡げ、あるいは商品の訴求力を向上するために、ケース体の外観の色彩や模様のみが異なる複数種の商品を用意することがある。多くの場合には、色合いのみが異なる複数種のケース体を着色成形しておき、その外面に印刷を施し、あるいはラベルを貼り付けて、見かけの印象やデザインが異なるケース体を得ている。
【０００３】
【発明が解決しようとする課題】
上記のように、成形色が異なるケース体を複数種それぞれ用意してデザインの多様化を図る場合には、ケース体の種類数が増えるほど成形コストが嵩み、部品管理や組立管理の手間が増える。殆どの場合は、コスト増を避けるために、色彩が異なるシリーズ商品の商品数を２〜３種のみに限ることが多い。成形時に着色されたプラスチック材は、リサイクル材として再使用することが難しい不利もある。
【０００４】
この発明の目的は、見かけの印象やデザインが異なるシリーズ商品を幾種類でも低コストで供給できて、組立が容易に行え、主に電気機器に適用して好適なケース体を提供することにある。この発明の目的は、ケース体を構成する内外ケースのリサイクル使用が可能であり、表面に擦り傷や打ち傷等の表面疵がある場合にも、着色成形されたケース体と同様に表面疵が目立つのを防止でき、従ってケース体の美感や清潔感が長期間にわたって維持できるようにすることにある。
【０００５】
【課題を解決するための手段】
この発明のケース体１は、図１に示すごとく内ケース１Ａと、内ケース１Ａに外嵌する透明ないし半透明の外ケース１Ｂとで２重筒状に形成され、内外両ケース１Ａ・１Ｂの間に装飾シート１９が装填してある。外ケース１Ｂの一端には、装飾シート１９および内ケース１Ａ用の差込口２１が開口しており、外ケース１Ｂの他端の内面には、装飾シート１９の差し込み限界を規定する突起４０が設けられている。内ケース１Ａの差し込み終端側の外面には、装飾シート１９の抜け出しを防ぐ受部２７が設けられている。内外両ケース１Ａ・１Ｂの間には、互いに係合して両ケース１Ａ・１Ｂの組み付け状態を維持する係合突起４２と係合凹部４１とが設けられている。
【０００６】
具体的には、装飾シート１９の差し込み限界を規定する突起４０が外ケース１Ｂ側の係合突起４２を兼ねており、係合凹部４１が内ケース１Ａの差し込み始端側の周面に設けられている。
【０００７】
外ケース１Ｂの内面と、装飾シート１９の外面との少なくともいずれか一方には、両者の密着を妨げる微少凹凸面４４を形成する。
【０００８】
内ケース１Ａは、前後に２分割された前ケース２５ａと後ケース２５ｂとで構成し、これらの前後両ケース２５ａ・２５ｂを外ケース１Ｂで分離不能に固定保持する。
【０００９】
外ケース１Ｂは、前側円弧面３８と後側円弧面３９とを有する断面木の葉形の筒体として形成し、装飾シート１９は、前側円弧面３８と後側円弧面３９との一方の交差部内面に沿って二つ折りにして、シート端部を他方の交差部内面に臨ませる。
【００１０】
【発明の作用効果】
この発明のケース体１は、内ケース１Ａと、内ケース１Ａに外嵌する透明ないし半透明の外ケース１Ｂとで２重筒状に形成し、内外両ケース１Ａ・１Ｂの間に装飾シート１９を装填する。その装飾シート１９は、着色状態や模様が異なるシートを複数種用意しておく。このように、装飾シート１９の着色や模様等を外ケース１Ｂを介して表示するケース体によれば、装飾シート１９を変えるだけで、見かけの印象やデザインが異なるケース体のシリーズ商品を幾種類でも低コストで供給できる。また、外ケース１Ｂの一端内面に設けた突起４０で、装飾シート１９の差し込み限界を規定したうえで、内ケース１Ａの差し込み終端側に設けた受部２７で装飾シート１９の抜け出しを防ぐ構造を採用するので、組立時には、外ケース１Ｂ、装飾シート１９、内ケース１Ａを記載順に組むだけで装飾シート１９を位置決めでき、曲がりやすい装飾シート１９の組立に要する手間を軽減できる。
【００１１】
装飾シート１９の差し込み限界を規定する突起４０が、内外両ケース１Ａ・１Ｂの組み付け状態を維持する係合突起４２を兼ねていると、係合突起４２を別に設ける場合に比べて、外ケース１Ｂと装飾シート１９との構造が簡素化し、その分だけケース体１の製造コストを削減化できる。外ケース１Ｂの成形も容易化できる。
【００１２】
外ケース１Ｂの内面と、装飾シート１９の外面との少なくともいずれか一方に微少凹凸面４４を形成してあると、装飾シート１９が外ケース１Ｂに密着して、濡れたように見えるのを解消し、外観上の印象が向上する。とくに、シートの表面に金属、ガラス、あるいはプラスチックチップなどの微粒子を接着して微少凹凸面４４を形成すると、真珠表面のような鈍い光輝性を付加して高級感を醸し出すことができ、外ケース１Ｂの表面に擦り傷や打ち傷等の表面疵を生じた場合にも、微少凹凸面４４が疵を見え難くして、疵が目立つのを防止できる。従ってケース体の美感や清潔感を長期間にわたって維持できる。外ケース１Ｂの内面に微少凹凸面４４を形成する場合に比べて、加工が容易でコストが少なくて済むことにもなる。
【００１３】
前後に２分割された前ケース２５ａと後ケース２５ｂとで内ケース１Ａを構成し、これらの前後両ケース２５ａ・２５ｂを外ケース１Ｂで分離不能に固定保持するケース体によれば、内ケース１Ａ内への各種の部品の組み込みが容易に行え、その外面を外ケース１Ｂで固定保持することにより、前後に２分割された前後両ケース２５ａ・２５ｂが、落下衝撃などで接合面において分離するのを確実に防止し、ケース体１の構造強度が増す。
【００１４】
外ケース１Ｂは、前側円弧面３８と後側円弧面３９とを有する断面木の葉形の筒体として形成したうえで、両円弧面３８・３９の一方の交差部内面において装飾シート１９を二つ折りにし、シート端部を他方の交差部内面に臨ませるケース体によれば、シート端部に僅かなずれを生じていたとしても、ずれが目立つのを防止して、外観上の体裁を維持できる。断面木の葉形の筒体においては、両円弧面３８・３９の交差部の厚みが他より分厚くなるので、内面の交差線を光の加減で明確に見ることが難しく、例えば後ケース２５ｂの背面中央にシート端部が位置させてあるような場合に比べて、シート端部の僅かなずれが見え難くなるからである。また、装飾シート１９が両円弧面３８・３９に沿って湾曲しているので、シート端部には交差部の側へ近付く向きの力が作用する傾向があり、そのためシート端部のずれを矯正できることにもなる。
【００１５】
【実施例】
図面はこの発明をフェイスシェーバーのケース体に適用した実施例を示す。図２においてフェイスシェーバーは、上下に長いケース体１を有し、その上半のヘッド部２に刃ユニット３を設け、下半のグリップ部の内部に、刃ユニット３用の駆動機構とその動力源であるモーター４および電池５などを配置してなる。ケース体１の前面中央には、モーター４への通電をオン・オフする操作ノブ６を有す。ヘッド部２には、刃ユニット３を保護するための上すぼまり鞘状のキャップ７が着脱可能に装着されている。
【００１６】
図４ないし図６において刃ユニット３は、装着面が開口するケース８と、ケース８に固定される固定刃９、および駆動機構で往復駆動される可動刃１０などで構成する。駆動機構は、モーター４の出力軸に固定した原動ギヤ１１と、原動ギヤ１１の回転動力を受け継ぐフェースギヤ１２と、フェースギヤ１２でクランクピン１３を介して上下方向へ往復駆動される駆動アーム１４とからなる。駆動アーム１４の先端は、可動刃１０の下端に設けた駆動ピースに差し込み連結してある。
【００１７】
モーター４への通電をオン・オフするためのスイッチ構造は、内ケース１Ａおよび外ケース１Ｂに通設した上下方向に長いガイド溝１５ａ・１５ｂと、両ガイド溝１５ａ・１５ｂの内外に配置したスイッチピース１６、および先の操作ノブ６と、スイッチピース１６に装着した可動端子１７と、ケース内面に固定される固定端子１８などで構成する。操作ノブ６を上方にスライド操作すると、スイッチピース１６と可動端子１７とが同行スライドして、固定端子１８とモーター４側の接続端子との間を導通する。
【００１８】
図７および図８においてケース体１は、ヘッド部２を含む内ケース１Ａと、主としてグリップ部を構成する外ケース１Ｂとで内外二重に構成し、両ケース１Ａ・１Ｂの間に装飾シート１９が装填される。外ケース１Ｂより上側に突出する内ケース１Ａの上半部分、即ち装着部２０に先のキャップ７を外嵌装着する（図６参照）。外ケース１Ｂの下側の差込口２１から突出する内ケース１Ａの下端には、電池キャップ２２が着脱可能に装着してある。内ケース１Ａの上部背面には、刃ユニット３が着脱可能に装着される。図３において刃ユニット３は、うぶ毛用の刃ユニットとまゆ毛用の刃ユニットとがあり、両者を交換装着できるようになっている。符号２３は、ヘッド部２に装着した刃ユニット３と係合して同ユニット３の分離を防ぐためのロックボタンである。
【００１９】
内ケース１Ａは、前後に分割された前ケース２５ａと後ケース２５ｂとを蓋合わせ状に接合して構成する。前後の両ケース２５ａ・２５ｂは、リサイクル使用を可能とするために、それぞれ原料色（乳白色または透明）のままの、無着色のＡＢＳ樹脂を射出成形して形成する。両ケース２５ａ・２５ｂの下端には、電池キャップ２２を係合装着するためのバヨネット溝２６を形成してあり、その上部に装飾シート１９の抜け出しを防ぐための受部２７が周回状に突設されている。
【００２０】
図９において前ケース２５ａは、電池５を収容する断面半円状の下収容部２９と、モーター４および刃ユニット３用の駆動機構等を収容する中間収容部３０と、刃ユニット３が蓋合わせ状に接合される上収容部３１とを一体に備えたプラスチック成形品からなり、下収容部２９と中間収容部３０の左右側縁のそれぞれに３個の連結脚３２が突設してある。先のガイド溝１５ａは、中間収容部３０の下端寄りの前面に開口する。後ケース２５ｂは、前ケース２５ａと同様の下収容部３３と中間収容部３４とを備えているが、前ケース２５ａの上収容部３１に相当する部分は、刃ユニット３を装着するために省略してある。中間収容部３４の内面には、フェースギヤ１２を支持する軸３５を一体に突設し、下収容部３３と中間収容部３４の左右側面のそれぞれに、先の連結脚３２に対応する係合穴３６を通設してある（図１１参照）。
【００２１】
外ケース１Ｂは、前側円弧面３８と後側円弧面３９とを有する断面木の葉形で上すぼまり状の筒状体からなり、乳白状の半透明のポリカーボネイトを素材にして成形する。外ケース１Ｂの内面の上端寄り４箇所には、装飾シート１９の差し込み限界を規定する突起４０を設ける。この突起４０は、図１０に示すように前後の両ケース２５ａ・２５ｂの中途部周面に設けた係合凹部４１と係合して、内ケース１Ａが外ケース１Ｂから抜け出すのを阻止するための係合突起４２を兼ねている。外ケース１Ｂは、前後両ケース２５ａ・２５ｂが前後に分離するのを阻止することにも役立っている。
【００２２】
装飾シート１９は金属、ガラス、あるいはプラスチックチップなどの微粒子が混入された蛍光インクを用いて着色されたポリカーボネイト製のシートからなり、微粒子を混入することにより、シート表面に微少凹凸面４４が形成される。微少凹凸面４４は、シート表面が外ケース１Ｂの内面に密着するのを防ぎ、さらに真珠表面のような鈍い光輝性を付加して高級感を醸し出すことに役立つ。装飾シート１９にも、先のガイド溝１５ａ・１５ｂに対応するスリット４５が形成してある。装飾シート１９は、外ケース１Ｂの前側円弧面３８と後側円弧面３９との一方の交差部内面において二つ折りにされて、シート端部が他方の交差部内面に臨んでいる。シート端部のずれが目立つのを防ぐためである。装飾シート１９は、前後ケース２５ａ・２５ｂの接合面を覆い隠して、ケース体１の外観を向上することにも役立っている。因みに、装飾シート１９は全体が単一色で着色してあってもよいし、複数色の蛍光インクを用いて模様や絵柄が形成してあってもよい。
【００２３】
ケース体１の組立は以下の手順で行う。まず、装飾シート１９を外ケース１Ｂの差込口２１から差し込んで、その差込始端縁を突起４０に接当させる。次いで、前後ケース２５ａ・２５ｂ内にモーター４や駆動機構などが組み込まれた内ケース１Ａを、ヘッド部２側を始端にして差込口２１から外ケース１Ｂ内に差し込む。このとき装飾シート１９は、自己の弾性で外ケース１Ｂの内面の円弧面に沿って密着しているので、両者１Ｂ・１９間の摩擦で仮組状態を維持し、装飾シート１９が滑落するのをよく防止できるうえ、内ケース１Ａの組み付けを、装飾シート１９に邪魔されることもなく簡単に行える。内ケース１Ａを最後まで押し込んで、その係合凹部４１内に突起４０（係合突起４２）が落ち込み係合すると、同時に受部２７が外ケース１Ｂの差込口２１の開口周縁に接当するので、装飾シート１９を内外の両ケース１Ａ・１Ｂで挟み固定し、さらに突起４０と受部２７とで遊動不能に固定できる。
【００２４】
上記のように、外ケース１Ｂを半透明のプラスチック成形品で形成し、その内面に蛍光色を発する装飾シート１９を配置すると、見かけ上は恰も着色成形した本体ケースと同様の深みのある呈色状態が得られ、透明体において避けられない冷涼感が生じることもない。外ケース１Ｂの表面に擦り傷や打ち傷が生じても、ケース壁が半透明化してあるうえ、装飾シート１９の微少凹凸面４４が微少模様のように見えるので、表面瑕疵が際立って目立つのを阻止でき、これにより外ケース１Ｂの外観上の印象、なかでも美感や清潔感を長期にわたって維持できる。蛍光色を発する装飾シート１９を用いるので、半透明の外ケース１Ｂを介して表装飾シート１９の色を表示する構造でありながら、通常の印刷インク等で装飾シート１９を着色した場合に比べて、色のぼやけを極力避け、より明瞭な呈色状態を発揮できる。さらに、乳白状に半透明化した外ケース１Ｂによれば、装飾シート１９の色調および彩度が、外ケース１Ｂの乳白色と混ざり合って若干淡い感じになるが、見かけの色の深みをさらに増すことができるうえ、表面の傷も目立ちにくくなる。
【００２５】
上記の実施例以外に、外ケース１Ｂは透明なプラスチック材で形成することができ、この場合には外ケース１Ｂを内ケース１Ａと同様にリサイクル使用することができる。外ケース１Ｂには、突起４０と係合突起４２とが別な位置に設けてあってもよい。微少凹凸面４４は、装飾シート１９の表面にサンドブラストを施して形成でき、あるいは外ケース１Ｂの内面を梨地面とすることで形成できる。内ケース１Ａおよび外ケース１Ｂは、それぞれの筒壁が周回方向に連続している必要はなく、例えば断面Ｃ字形の筒体であってもよい。
【図面の簡単な説明】
【図１】ケース体のみの断面図である。
【図２】キャップを外した状態でのフェースシェーバーの正面図である。
【図３】刃ユニットを分解した状態でのフェースシェーバーの背面図である。
【図４】内部構造の分解断面図である。
【図５】フェースシェーバーの縦断側面図である。
【図６】刃ユニットとその駆動機構をケースを破断して示す内部正面図である。
【図７】ケース体の分解斜視図である。
【図８】ケース体の分解正面図である。
【図９】内ケースの縦断面図である。
【図１０】内ケースと外ケースとの係合構造を示す断面図である。
【図１１】前ケースと後ケースとの係合構造を示す断面図である。
【符号の説明】
１  ケース体
１Ａ  内ケース
１Ｂ  外ケース
１９  装飾シート
２５ａ  前ケース
２５ｂ  後ケース
４０  突起
４１  係合凹部
４２  係合突起
４４  微少凹凸面
【図１】
0004674736.tif 000002
【図２】
0004674736.tif 000003
【図３】
0004674736.tif 000004
【図４】
0004674736.tif 000005
【図５】
0004674736.tif 000006
【図６】
0004674736.tif 000007
【図７】
0004674736.tif 000008
【図８】
0004674736.tif 000009
【図９】
0004674736.tif 000010
【図１０】
0004674736.tif 000011
【図１１】
0004674736.tif 000012